(57)【要約】【課題】プロジェクタ部と表示部とで、よりユーザニーズを考慮した表示制御を行うこと。【解決手段】本発明は、第１筐体と第２筐体とを開閉可能に構成された、少なくとも所定の表示データを記憶する記憶部と制御部とを備えた折り畳み式の携帯電子機器であって、第１筐体は、表示データの少なくとも一部を投影するプロジェクタ部と、第１筐体の鉛直方向に対する傾斜角を検出する傾き検出部と、を備え、制御部は、プロジェクタ部に表示データを投影させる際、傾き検出部にて検出された傾斜角に応じて、プロジェクタ部にて投影される表示データの描画方向を変更する。【選択図】図４
2010197755.tif 000002
【特許請求の範囲】
【請求項１】
第１筐体と第２筐体とを開閉可能に構成された、少なくとも所定の表示データを記憶する記憶部と制御部とを備えた折り畳み式の携帯電子機器であって、
前記第１筐体は、
前記表示データの少なくとも一部を投影するプロジェクタ部と、
前記第１筐体の鉛直方向に対する傾斜角を検出する傾き検出部と、
を備え、
前記制御部は、
前記プロジェクタ部に前記表示データを投影させる際、前記傾き検出部にて検出された前記傾斜角に応じて、前記プロジェクタ部にて投影される前記表示データの描画方向を変更すること
を特徴とする携帯電子機器。
【請求項２】
前記第１筐体は、
前記表示データを表示するメイン表示部、
を更に備え、
前記第２筐体は、
利用者によりキー操作される操作部、
を備え、
前記操作部および前記メイン表示部は、前記携帯電子機器の閉状態において、当該メイン表示部および当該操作部が隠れるよう配置されること
を特徴とする請求項１に記載の携帯電子機器。
【請求項３】
前記制御部は、
前記傾き検出部にて検出された前記傾斜角に基づいて、前記メイン表示部が上側になっていると判定される場合には、当該メイン表示部に表示される前記表示データの描画方向と前記プロジェクタ部にて投影される前記表示データの描画方向とを一致させる第１の描画を行い、
前記メイン表示部が下側になっていると判定される場合には、前記プロジェクタ部にて投影される前記表示データの描画方向を前記第１の描画とは異なる描画方向とする第２の描画を行うこと
を特徴とする請求項１または請求項２に記載の携帯電子機器。
【請求項４】
前記携帯電子機器は、
前記第１筐体と前記第２筐体との相対角度を検出することにより当該携帯電子機器の開閉状態を検出する開閉検出スイッチと、
前記携帯電子機器の閉状態において、表示面が露出するよう第１筐体に配置されたサブ表示部と、
を更に備え、
前記制御部は、
前記開閉検出スイッチにて検出された前記相対角度に基づいて、前記第１筐体が前記第２筐体に対して所定以上の開度を有さないと判定される場合には、前記プロジェクタ部に対する操作を示す操作情報、及び／又は、当該プロジェクタ部に対する処理状態を示す処理状態情報を前記サブ表示部に表示すること
を特徴とする請求項１から請求項３のいずれか１項に記載の携帯電子機器。
【請求項５】
前記制御部は、
前記携帯電子機器の閉状態において、前記記憶部に記憶された前記メイン表示部に表示されるべき前記表示データの少なくとも一部を前記プロジェクタ部に投影させること
を特徴とする請求項１から請求項４のいずれか１項に記載の携帯電子機器。
【請求項６】
前記記憶部は、
前記プロジェクタ部にて投影される前記表示データの描画方向を前記傾斜角に応じて設定した投影向き選択情報を記憶する投影向き選択テーブル
を更に備え、
前記制御部は、
前記投影向き選択テーブルに記憶された前記投影向き選択情報に設定された当該描画方向に描画された前記表示データを前記プロジェクタ部にて投影させること
を特徴とする請求項１から請求項５のいずれか１項に記載の携帯電子機器。
【請求項７】
前記記憶部は、
前記表示データの表示先を前記メイン表示部もしくは前記サブ表示部のいずれかとするか、または、前記メイン表示部および前記サブ表示部の両方とするかを設定した表示先選択情報を記憶する表示先選択テーブル
を更に備え、
前記制御部は、
前記表示先選択テーブルに記憶された前記表示先選択情報に設定された前記表示先となる前記メイン表示部及び／又は前記サブ表示部へ前記表示データを表示すること
を特徴とする請求項１から請求項６のいずれか１項に記載の携帯電子機器。
【請求項８】
前記記憶部は、
前記表示データの投影先を前記メイン表示部、前記サブ表示部、および、前記プロジェクタ部のうち少なくとも１つとするかを設定した投影先選択情報を記憶する投影先選択テーブル
を更に備え、
前記制御部は、
前記投影先選択テーブルに記憶された前記投影先選択情報に設定された前記投影先となる前記メイン表示部、前記サブ表示部、および、前記プロジェクタ部のうち少なくとも１つへ前記表示データを表示及び／又は投影すること
を特徴とする請求項１から請求項７のいずれか１項に記載の携帯電子機器。
【請求項９】
前記携帯電子機器は、
ＣＤＭＡ２０００＿１ｘ方式にて無線通信を行う無線通信部
を更に備えたこと
を特徴とする請求項１から請求項８のいずれか１項に記載の携帯電子機器。
【発明の詳細な説明】
【技術分野】
【０００１】
本発明は、プロジェクタ機能付き携帯電子機器に関する。
【背景技術】
【０００２】
昨今、携帯可能なプロジェクタ装置が登場してきており、プロジェクタを内蔵した端末が開発されている。
【０００３】
例えば、特許文献１に記載の電子機器、特許文献２に記載の映像投影装置、および、特許文献３に記載の携帯機器は、端末の開閉状態を検出して、端末が備える表示部に表示するかプロジェクタによる投影かを切り替えている。また、特許文献４に記載のプロジェクタ付き電子機器は、プロジェクタによる投影を行う際には表示部を消灯している。また、特許文献５に記載の携帯電話機では、コンテンツに応じて表示部かプロジェクタかを選択している。
【０００４】
また、内蔵されたプロジェクタ部の投影方向の調整を行う端末も報告されている。
【０００５】
例えば、特許文献６に記載のクラムシェル型（折り畳み型）プロジェクタ機能付携帯端末は、プロジェクタの投影方向の切替機構を設けて投影画像が水平になるよう制御している。また、特許文献７に記載の電気機器は、操作部と表示部間の相対角度によりプロジェクタ部のオン・オフを制御している。
【先行技術文献】
【特許文献】
【０００６】
【特許文献１】特開２００５−２０８８０２号公報
【特許文献２】特開２００６−３３３５７号公報
【特許文献３】特開２００６−６７１２１号公報
【特許文献４】特開２００７−７４６５１号公報
【特許文献５】特開２００１−１９７１６７号公報
【特許文献６】特開２００７−９６５４２号公報
【特許文献７】特開２００６−７８７５２号公報
【発明の概要】
【発明が解決しようとする課題】
【０００７】
しかしながら、従来の携帯端末（特許文献１〜７等）では、台形補正およびプロジェクタ部と表示部との切り替え制御のみに着目しているため、よりユーザニーズを考慮した表示制御が求められていた。
【０００８】
すなわち、特許文献１〜４に記載の端末は、端末の開閉状態により表示部とプロジェクタの切り替え制御を行うものであり、また、特許文献５に記載の携帯電話機は、コンテンツの大きさに応じて小型の液晶か大型画面かを選択するものであるが、コンテンツの内容などに応じて表示部またはプロジェクタ部に適切な表示をすることができないという問題点を有していた。また、特許文献６および７に記載の端末は、上側筐体と下側筐体とから構成される折り畳み型の携帯端末において、プロジェクタ部を液晶画面が備えられた上側筐体の先端に取り付けた場合、携帯端末の開く角度や上側筐体の上下の向きより投影映像が逆さになる（反転してしまう）ことがあるという問題点を有していた。
【０００９】
本発明は、上記問題に鑑みてなされたもので、プロジェクタ部と表示部とで、よりユーザニーズを考慮した表示制御を行うことができる携帯電子機器を提供することを目的とする。
【課題を解決するための手段】
【００１０】
上述した課題を解決し、目的を達成するために、本発明に係る携帯電子機器は、第１筐体と第２筐体とを開閉可能に構成された、少なくとも所定の表示データを記憶する記憶部と制御部とを備えた折り畳み式の携帯電子機器であって、前記第１筐体は、前記表示データの少なくとも一部を投影するプロジェクタ部と、前記第１筐体の鉛直方向に対する傾斜角を検出する傾き検出部と、を備え、前記制御部は、前記プロジェクタ部に前記表示データを投影させる際、前記傾き検出部にて検出された前記傾斜角に応じて、前記プロジェクタ部にて投影される前記表示データの描画方向を変更することを特徴とする。
【００１１】
ここで、本発明の携帯電子機器において、前記第１筐体は、前記表示データを表示するメイン表示部、を更に備え、前記第２筐体は、利用者によりキー操作される操作部、を備え、前記操作部および前記メイン表示部は、前記携帯電子機器の閉状態において、当該メイン表示部および当該操作部が隠れるよう配置されてもよい。
【００１２】
また、本発明の携帯電子機器において、前記制御部は、前記傾き検出部にて検出された前記傾斜角に基づいて、前記メイン表示部が上側になっていると判定される場合には、当該メイン表示部に表示される前記表示データの描画方向と前記プロジェクタ部にて投影される前記表示データの描画方向とを一致させる第１の描画を行い、前記メイン表示部が下側になっていると判定される場合には、前記プロジェクタ部にて投影される前記表示データの描画方向を前記第１の描画とは異なる描画方向とする第２の描画を行ってもよい。
【００１３】
また、本発明の携帯電子機器において、前記携帯電子機器は、前記第１筐体と前記第２筐体との相対角度を検出することにより当該携帯電子機器の開閉状態を検出する開閉検出スイッチと、前記携帯電子機器の閉状態において、表示面が露出するよう第１筐体に配置されたサブ表示部と、を更に備え、前記制御部は、前記開閉検出スイッチにて検出された前記相対角度に基づいて、前記第１筐体が前記第２筐体に対して所定以上の開度を有さないと判定される場合には、前記プロジェクタ部に対する操作を示す操作情報、及び／又は、当該プロジェクタ部に対する処理状態を示す処理状態情報を前記サブ表示部に表示してもよい。
【００１４】
また、本発明の携帯電子機器において、前記制御部は、前記携帯電子機器の閉状態において、前記記憶部に記憶された前記メイン表示部に表示されるべき前記表示データの少なくとも一部を前記プロジェクタ部に投影させてもよい。
【００１５】
また、本発明の携帯電子機器において、前記記憶部は、前記プロジェクタ部にて投影される前記表示データの描画方向を前記傾斜角に応じて設定した投影向き選択情報を記憶する投影向き選択テーブルを更に備え、前記制御部は、前記投影向き選択テーブルに記憶された前記投影向き選択情報に設定された当該描画方向に描画された前記表示データを前記プロジェクタ部にて投影させてもよい。
【００１６】
また、本発明の携帯電子機器において、前記記憶部は、前記表示データの表示先を前記メイン表示部もしくは前記サブ表示部のいずれかとするか、または、前記メイン表示部および前記サブ表示部の両方とするかを設定した表示先選択情報を記憶する表示先選択テーブルを更に備え、前記制御部は、前記表示先選択テーブルに記憶された前記表示先選択情報に設定された前記表示先となる前記メイン表示部及び／又は前記サブ表示部へ前記表示データを表示してもよい。
【００１７】
また、本発明の携帯電子機器において、前記記憶部は、前記表示データの投影先を前記メイン表示部、前記サブ表示部、および、前記プロジェクタ部のうち少なくとも１つとするかを設定した投影先選択情報を記憶する投影先選択テーブルを更に備え、前記制御部は、前記投影先選択テーブルに記憶された前記投影先選択情報に設定された前記投影先となる前記メイン表示部、前記サブ表示部、および、前記プロジェクタ部のうち少なくとも１つへ前記表示データを表示及び／又は投影してもよい。
【００１８】
また、本発明の携帯電子機器において、前記携帯電子機器は、ＣＤＭＡ２０００＿１ｘ方式にて無線通信を行う無線通信部を更に備えてもよい。
【発明の効果】
【００１９】
本発明は、プロジェクタ部と表示部とで、よりユーザニーズを考慮した表示制御を行うことができる携帯電子機器を提供することができるという効果を奏する。
【図面の簡単な説明】
【００２０】
【図１】図１は、本実施の形態に係る携帯電子機器の正面図である。
【図２】図２は、本実施の形態に係る携帯電子機器の側面図である。
【図３】図３は、本実施の形態に係る携帯電子機器を閉じた状態を示す図である。
【図４】図４は、本実施の形態に係る携帯電子機器の機能の一例を第１筐体と第２筐体とに分けて示すブロック図である。
【図５】図５は、本実施の形態に係る携帯電子機器の機能の一例を制御部と記憶部を中心に説明するブロック図である。
【図６】図６は、本実施形態に係る投影角度の検出の一例を説明する図である。
【図７】図７は、投影向き選択テーブルの一例を説明する図である。
【図８】図８は、表示先選択テーブルの一例を説明する図である。
【図９】図９は、投影先選択テーブルの一例を説明する図である。
【図１０】図１０は、本実施の形態に係る基本処理の一例を示すフローチャートである。
【図１１】図１１は、本実施の形態に係る投影先選択制御の一例を示すフローチャートである。
【図１２】図１２は、本実施の形態に係る投影制御処理の一例を示すフローチャートである。
【図１３】図１３は、本発明の投影制御の一例を示す図である。
【発明を実施するための形態】
【００２１】
以下に、本発明の実施の形態につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。例えば、以下においては、携帯電子機器として携帯電話機を例として説明するが、本発明の適用対象は携帯電話機に限定されるものではない。例えば、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、ポータブルナビゲーション装置、ノートパソコン、携帯ゲーム機や携帯テレビ等に対しても本発明は適用できる。
【００２２】
図１は、本実施の形態に係る携帯電子機器の正面図である。図２は、本実施の形態に係る携帯電子機器の側面図である。図３は、本実施の形態に係る携帯電子機器を閉じた状態を示す図である。まず、携帯電子機器の構成を説明する。携帯電子機器１は、プロジェクタ機能および無線通信機能を備えた携帯電話機である。携帯電子機器１は、筐体１Ｃが第１筐体１ＣＡと第２筐体１ＣＢとで開閉可能に構成された、折り畳み式の携帯電話機である。図１、図２は、携帯電子機器１を開いた状態を示し、図３は、携帯電子機器１を閉じた状態を示す。
【００２３】
まず、携帯電子機器１の構成を説明する。第１筐体１ＣＡには、表示部２として、図１に示すメインディスプレイ２Ｍ（メイン表示部）が設けられる。ここで、メイン表示部および操作部５は、携帯電子機器１の閉状態において、当該メイン表示部および当該操作部５が隠れるよう配置される。また、第１筐体１ＣＡには、同じく表示部２として図３に示すサブディスプレイ２Ｓ（サブ表示部）が設けられる。ここで、サブ表示部は、携帯電子機器１の閉状態において、表示面が露出するよう第１筐体１ＣＡに配置される。メインディスプレイ２Ｍとサブディスプレイ２Ｓとは、第１筐体１ＣＡの対向する面にそれぞれ配置されており、携帯電子機器１を閉じたときには、サブディスプレイ２Ｓを利用者が目視できるように構成される。すなわち、表示部２は、携帯電子機器１の筐体１Ｃを閉じたときに隠れ、開いたときに露出するメインディスプレイ２Ｍと、筐体１Ｃを閉じたときでも筐体１Ｃの外側に露出するサブディスプレイ２Ｓとで構成される。メインディスプレイ２Ｍ及びサブディスプレイ２Ｓは、例えば、液晶表示パネルや有機ＥＬ（Ｅｌｅｃｔｒｏ  Ｌｕｍｉｎｅｓｃｅｎｃｅ）パネルのような表示デバイスで構成されており、制御部１４から送られる映像信号（待ち受け画像やメニュー画像等の映像信号であり、静止画、動画を含む）に応じた画像を表示する。
【００２４】
メインディスプレイ２Ｍは、所定の表示データを所定の画像として、携帯電子機器１の電池の残量（バッテリ残量表示情報）や電波の受信状態（通信状態表示情報）や現在時刻情報等を含むピクト行を表示する。また、メインディスプレイ２Ｍは、携帯電子機器１が受信を待機している状態のときに待ち受け画像等のメイン画面を表示する。メインディスプレイ２Ｍは、携帯電子機器１の操作を補助するために用いられるメニュー画像等のソフトキーを表示する。また、サブディスプレイ２Ｓは、図３に示すように、携帯電子機器１を閉じている状態において、携帯電子機器１の電池の残量（バッテリ残量表示情報）や電波の受信状態（通信状態表示情報）や現在時刻情報等を含むピクト行を表示する。
【００２５】
また、第１筐体１ＣＡには、携帯電子機器１の通話時に音声を発するスピーカ６が設けられる。また、第１筐体１ＣＡには、プロジェクタ部３が設けられる。このプロジェクタ部３は、表示データを表示する表示部２の表示画面を背後から照明するバックライトの照明等を利用して屋内や屋外の壁や塀などに拡大画像を投影するレンズ等を備える。また、図示しないが、プロジェクタ部３には、赤外線センサ等の光センサを備えてよい。例えば、この光センサにより、利用者がプロジェクタ部３に手をかざした場合に投影向きを変更し、再度手をかざした場合に投影向きを固定させる等の処理を行ってもよい。また、第１筐体１ＣＡには、静止画像や動画を撮像する機能を備えたカメラ４が設けられる。このカメラ４は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｍｔａｒｙ  Ｍｅｔａｌ  Ｏｘｉｄｅ  Ｓｅｍｉｃｏｎｄｕｃｔｏｒ）等の電荷結合素子や固体撮像素子等から構成されるビデオカメラやデジタルカメラやＷｅｂカメラ等である。
【００２６】
また、第１筐体１ＣＡには、携帯電子機器１の傾きを検出する機能を有する傾斜センサや３軸加速度センサや６軸加速度センサ等から構成される傾き検出部１２が内蔵されて設けられる。この傾き検出部１２は、第１筐体１ＣＡの鉛直方向に対する傾斜角（プロジェクタ部３の投影角度）を検出する。また、この傾き検出部１２により、携帯電子機器１を横向きにした際にプロジェクタ部３にて投影していた映像等の表示データを一時停止させる等の処理を行ってもよい。また、プロジェクタ部３の投影角度を直接検出するために、第１筐体１ＣＡにおいて傾き検出部１２をプロジェクタ部３に設置してもよい。なお、図４において、傾き検出部１２を第１筐体１ＣＡに備える一例を示しているが、必要に応じて第２筐体１ＣＢに備えてもよく、第１筐体１ＣＡおよび第２筐体１ＣＢの両方に備えて構成してもよい。例えば、第１筐体１ＣＡおよび第２筐体１ＣＢの両方に備えた場合、両方の傾き検出部１２により検出された傾きの差分等に基づき、第１筐体１ＣＡと第２筐体１ＣＢとの開度を検出してもよい。
【００２７】
第２筐体１ＣＢには、操作部５として、通話相手の電話番号やメール作成時等に文字を入力するための操作キー５ａが複数設けられる。また、第２筐体１ＣＢには、表示データ等の投影先の選択や、ソフトキーとして表示されるメニューの選択及び決定や画面のスクロール等を容易に実行するための方向及び決定キー５ｂが設けられる。ここで、操作部５およびメイン表示部は、携帯電子機器１の閉状態において、当該メイン表示部および当該操作部５が隠れるよう配置される。また、第２筐体１ＣＢには、携帯電子機器１の通話時に音声を受け取るマイク７が設けられる。また、第２筐体１ＣＢには無線通信部８としてアンテナが設けられており、携帯電子機器１と基地局との間における送受信に用いられる。また、図２に示すように第２筐体１ＣＢには、携帯電子機器１に電力を供給する電源部１０が設けられる。
【００２８】
また、第１筐体１ＣＡと第２筐体１ＣＢとの連結部であるヒンジ９には、開閉検出スイッチ１１が設けられる。この開閉検出スイッチ１１は、第１筐体１ＣＡと第２筐体１ＣＢとの相対角度を検出することにより当該携帯電子機器１の開閉状態の変動を検出する。すなわち、開閉検出スイッチ１１は、折畳んで使用する小型携帯機器等のヒンジ部分に直接組み込んで角度検出を行うロータリタイプ検出スイッチである。この開閉検出スイッチ１１では、ヒンジ９の回転にともなって、開閉検出スイッチ１１の操作部が回転し、これに同期して開閉検出スイッチ１１内部の可動接点が回転する。そして、この開閉検出スイッチ１１は、設定した角度で固定端子と接触させ、これをオン／オフの制御とすることで回転角度を検出する。ここで、開閉検出スイッチ１１は、図示しないが第２筐体１ＣＢに設けてもよい。この場合、開閉検出スイッチ１１は、図３に示すように第１筐体１ＣＡと第２筐体１ＣＢが密接しているか（閉じられているか）を確認するスイッチから構成されてもよい。すなわち、携帯電子機器１が図３に示すように閉じられていればスイッチがＯＮになり、携帯電子機器１が図１および図２に示すように開いていればスイッチがＯＦＦになることで開閉状態を検出してもよい。また、開閉検出スイッチ１１は、第１筐体１ＣＡに設けられたマグネット（図示せず）に閉じている状態のときに対向する位置に設けられたＭＲセンサ（磁気センサ）により、磁界によって変化する抵抗値を検出することで開閉状態を検出してもよい。
【００２９】
ここで、操作部５は、図１に示す操作キー５ａや方向及び決定キー５ｂを含んで構成されている。操作キー５ａは複数のキーで構成され、また、方向及び決定キー５ｂは複数のスイッチで構成される。複数のキーや複数のスイッチには、電源、通話、数字、文字、方向、決定、発信等、携帯電子機器１の操作に必要な各種の機能が割り当てられている。そして、操作キー５ａや方向及び決定キー５ｂが利用者によって操作されることにより、操作キー５ａや方向及び決定キー５ｂは、その操作内容に割り当てられた信号を発生する。そして、発生した信号は、利用者の指示としてメインＣＰＵ１４ａへ入力される。
【００３０】
図２に示すように、本実施形態において、第２筐体１ＣＢの一つの側部（操作キー５ａや方向及び決定キー５ｂが設けられる面と略直交する面のうちの一つ）には、通信用端子１３が設けられる。通信用端子１３は、第２筐体１ＣＢ内に設けられる記憶部に第２筐体１ＣＢの外部から情報を保存したり、前記記憶部に保存される情報を第２筐体１ＣＢの外部へ取り出したりする際に用いられる。前記記憶部に保存される情報は、例えば、携帯電子機器１の制御に用いるソフトウェアや画像データ、あるいは音声データ等である。
【００３１】
また、図２に示すように、第１筐体１ＣＡと第２筐体１ＣＢとは、ヒンジ９で連結されている。これによって、第１筐体１ＣＡ及び第２筐体１ＣＢは、ヒンジ９を中心としてともに回動して、互いに遠ざかる方向及び互いに接近する方向（図２の矢印Ｒで示す方向）に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１が閉じる。
【００３２】
続いて、以下図４および図５を参照し、本実施の形態に係る携帯電子機器１の機能について説明する。
【００３３】
まず、図４は、本実施の形態に係る携帯電子機器１の機能の一例を第１筐体１ＣＡと第２筐体１ＣＢとに分けて示すブロック図である。図４に示すように、携帯電子機器１は、第１筐体１ＣＡ（上側筐体）と第２筐体１ＣＢ（下側筐体）とから構成される。
【００３４】
なお、図４においては、第１筐体１ＣＡに備えられた、表示部２、プロジェクタ部３、カメラ４、スピーカ６の説明は、上述の図１〜図３の説明と同様であるため省略する。同様に、第２筐体１ＣＢに備えられた、操作部５、マイク７、電源部１０、開閉検出スイッチ１１、傾き検出部１２の説明は、上述の図１〜図３の説明と同様であるため省略する。
【００３５】
図４に示すように、無線通信部８は、アンテナ８ａ（例えば、通話やデータ送受信等に用いる遠距離・近距離無線通信を行う無線通信用アンテナ）、および、アンテナ８ｂ（例えば、ワンセグ放送受信用アンテナ等のテレビ放送受信用アンテナ）を備える。また、無線通信部８は、アンテナ８ａとアンテナ８ｂとを切り替えるアンテナスイッチ８ｃを備える。また、無線通信部８は、例えばＣＤＭＡ端末用の高周波処理を行うＣＤＭＡ用ＲＦモジュール８ｄを備える。アンテナ８ａ，８ｂ、アンテナスイッチ８ｃ、および、ＣＤＭＡ用ＲＦモジュール８ｄは、無線通信部８を構成する。そして、無線通信部８は、アンテナ８ａ，８ｂにより基地局のいずれかによって割り当てられるチャネルを介して、基地局との間で無線通信を行う。ここで、無線通信部８は、ＣＤＭＡ（Ｃｏｄｅ  Ｄｉｖｉｓｉｏｎ  Ｍｕｌｔｉｐｌｅ  Ａｃｃｅｓｓ）２０００＿１ｘ方式等の通信方式を用いて、複数の基地局からの複数の信号を合成して信号の送受信を行ってもよい。
【００３６】
また、図４において、携帯電子機器１は、制御部１４として、メインＣＰＵ１４ａと、ディスプレイコントローラ１４ｂと、音声処理部１４ｃとを備える。メインＣＰＵ１４ａは、当該ＣＰＵ１４ａに通信可能に接続される各構成部を制御する機能を有する。また、ディスプレイコントローラ１４ｂは、記憶部１５に記憶された所定の表示データを表示部２およびプロジェクタ部３へ表示させるための描画機能および表示制御機能を有する。また、音声処理部１４ｃは、マイク７を介して入力された音声を音声データに変換し、音声データを音声に変換してスピーカ６を介して出力する音声処理を行う機能を有する。なお、描画更新部１４ｂ−１および表示制御部１４ｂ−２を備えるディスプレイコントローラ１４ｂの詳細は後述する。
【００３７】
ここで、音声処理部１４ｃは、スピーカ６から出力される音声信号やマイク７に入力される音声信号の処理を実行する。すなわち、音声処理部１４ｃは、マイク７から入力される音声を増幅し、ＡＤ変換（Ａｎａｌｏｇ  Ｄｉｇｉｔａｌ変換）を実行した後さらに符号化等の信号処理を施して、デジタルの音声データに変換してメインＣＰＵ１４ａへ出力する。また、メインＣＰＵ１４ａから送られる音声データに対して復号化、ＤＡ変換（Ｄｉｇｉｔａｌ  Ａｎａｌｏｇ変換）、増幅等の処理を施してアナログの音声信号に変換してから、スピーカ６へ出力する。
【００３８】
また、図４において、携帯電子機器１は、記憶部１５として、ディスプレイコントローラ１４ｂにより描画更新された各種表示データを記憶するＶ−ＲＡＭ１５ａ，１５ｂと、図７〜図９において後述する投影向き選択テーブル１５ｃ−１、表示先選択テーブル１５ｃ−２、および、投影先選択テーブル１５ｃ−３に対応するメモリ１５ｃを備える。なお、記憶部１５のＶ−ＲＡＭ１５ａ，１５ｂ、メモリ１５ｃの詳細は後述する。
【００３９】
また、図４において、携帯電子機器１は、第１筐体１ＣＡおよび第２筐体１ＣＢの両方に、順次データを高速に送受信する高速シリアルインターフェース１６ａ，１６ｂを備える。携帯電子機器１は、ディスプレイコントローラ１４ｂにより描画更新した表示データをＶ−ＲＡＭ１５ａに書き込む。そして、携帯電子機器１は、高速シリアルインターフェース１６ａを介して第２筐体１ＣＢから第１筐体１ＣＡへ送信する。そして、携帯電子機器１は、第１筐体１ＣＡの高速シリアルインターフェース１６ｂに表示データを受信し、Ｖ−ＲＡＭ１５ｂに書き込む。そして、携帯電子機器１は、Ｖ−ＲＡＭ１５ｂに記憶された表示データを表示部２及び／又はプロジェクタ部３に表示させる。なお、図４において、Ｖ−ＲＡＭ１５ａ，１５ｂを第１筐体１ＣＡおよび第２筐体１ＣＢの両方に備える一例を示したが、必要に応じて第１筐体１ＣＡまたは第２筐体１ＣＢのいずれか片方に１つ備えて構成してもよい。
【００４０】
次に、図５は、本実施の形態に係る携帯電子機器１の機能の一例を制御部１４と記憶部１５を中心に説明するブロック図である。図５に示すように、携帯電子機器１は、所定の表示データを表示するメインディスプレイ２Ｍおよびサブディスプレイ２Ｓを備える表示部２を備える。また、携帯電子機器１は、所定の表示データの少なくとも一部を投影するプロジェクタ部３を備える。また、携帯電子機器１は、利用者によりキー操作される操作キー５ａおよび方向及び決定キー５ｂを備える操作部５を備える。また、携帯電子機器１は、無線通信を行う無線通信部８を備える。また、携帯電子機器１は、携帯電子機器１の開閉状態の変動を検出する開閉検出スイッチ１１を備える。また、携帯電子機器１は、第１筐体１ＣＡの鉛直方向に対する傾斜角を検出する傾き検出部１２を備える。また、携帯電子機器１は、図４のディスプレイコントローラ１４ｂに対応する描画更新部１４ｂ−１および表示制御部１４ｂ−２を少なくとも備える制御部１４を備える。また、携帯電子機器１は、図４のＶ−ＲＡＭ１５ａ，１５ｂに対応する表示用メモリ部１５ａおよび重ね合わせ用メモリ部１５ｂを少なくとも備える記憶部１５を備える。また、携帯電子機器１は、図４のメモリ１５ｃに対応する投影向き選択テーブル１５ｃ−１、表示先選択テーブル１５ｃ−２および投影先選択テーブル１５ｃ−３を少なくとも備える記憶部１５を備える。また、携帯電子機器１は、電話機発信時のダイヤル信号で相手の電話番号を検出する機能等を有するダイヤル検出部１７を備える。
【００４１】
ここで、制御部１４は、携帯電子機器１の全体的な動作を統括的に制御する。すなわち、制御部１４は、表示部２やプロジェクタ部３や無線通信部８やダイヤル検出部１７等の動作を制御して、各種の機能を実現する。この制御部１４により、携帯電子機器１の各種の処理が、操作部５の操作や携帯電子機器１の記憶部１５に保存されるソフトウェアやデータ等に応じて適切な手順で実行される。携帯電子機器１の各種の処理としては、例えば、回線交換網を介して行われる音声通話、電子メールの作成及び送受信、インターネットのＷｅｂ（Ｗｏｒｌｄ  Ｗｉｄｅ  Ｗｅｂ）サイトの閲覧、記憶部１５の読み書き制御等の処理がある。これら各種の処理により、表示データの描画機能、表示制御機能や、音声通話機能や、外部機器通信機能、データ通信機能、ブラウザ通信機能、データダウンロード機能、ファイル共有機能、アドレス帳読み書き機能、データベースの読み書き機能等の各種の機能が実現される。ここで、無線通信部８や表示部２やプロジェクタ部３等の動作としては、例えば、無線通信部８における信号の送受信、表示部２及び／又はプロジェクタ部３における表示データの表示や投影等がある。
【００４２】
ここで、図５に示すように、制御部１４は、描画更新部１４ｂ−１と、表示制御部１４ｂ−２とを含んで構成される。
【００４３】
このうち描画更新部１４ｂ−１は、表示データを描画する機能を有する描画更新手段である。例えば、描画更新部１４ｂ−１は、ピクト描画処理、ソフトキー描画処理、画像描画処理、メイン画面描画処理等の描画処理を行う。また、描画更新部１４ｂ−１は、表示部２及び／又はプロジェクタ部３に表示中及び／又は投影中の画面の更新要求を行う。
【００４４】
また、表示制御部１４ｂ−２は、描画更新部１４ｂ−１により描画処理や更新要求された各種表示データを表示用メモリ部１５ａ及び／又は重ね合わせ用メモリ部１５ｂに書き込むことにより、表示部２及び／又はプロジェクタ部３の表示制御を行う表示制御手段である。例えば、表示制御部１４ｂ−２は、プロジェクタ用バッファ１５ａ−１にプロジェクタ部３にて投影させる表示データを書き込む。そして、表示制御部１４ｂ−２は、プロジェクタ用バッファ１５ａ−１に書き込まれた表示データをプロジェクタ部３に転送することにより、プロジェクタ部３にて表示データを投影させる。また、表示制御部１４ｂ−２は、ピクト行表示バッファ１５ａ−２にバッテリ残量表示情報や通信状態表示情報を書き込む。また、表示制御部１４ｂ−２は、ソフトキー表示用バッファ１５ａ−３にソフトキー表示情報を書き込む。また、表示制御部１４ｂ−２は、メイン画面用バッファ１５ａ−４に表示部２に表示させる表示データを書き込む。また、表示制御部１４ｂ−２は、プロジェクタ用バッファ１５ａ−１に書き込まれた表示データ、ピクト行表示用バッファ１５ａ−２に書き込まれたバッテリ残量表示情報や通信状態表示情報、ソフトキー表示用バッファ１５ａ−３に書き込まれたソフトキー表示情報、および、メイン画面用バッファ１５ａ−４に書き込まれた表示データのうち少なくとも一部を重ね合わせ用メモリ部１５ｂへ書き込むことにより、これら各種データを合成した表示データを形成する。そして、表示制御部１４ｂ−２は、重ね合わせ用メモリ部１５ｂに書き込まれた合成された表示データを表示部２及び／又はプロジェクタ部３に転送することにより、表示部２及び／又はプロジェクタ部３に表示及び／又は投影させる。
【００４５】
ここで、表示制御部１４ｂ−２は、投影向き選択テーブル１５ｃ−１に記憶された投影向き選択情報を参照することにより、上述の表示制御処理投影向き選択テーブル１５ｃ−１に記憶された投影向き選択情報に設定された当該描画方向に描画された表示データをプロジェクタ部３にて投影させてもよい。また、表示制御部１４ｂ−２は、表示先選択テーブル１５ｃ−２に記憶された表示先選択情報に設定された表示先となるメイン表示部（メインディスプレイ２Ｍ）及び／又はサブ表示部（サブディスプレイ２Ｓ）へ表示データを表示してもよい。また、表示制御部１４ｂ−２は、投影先選択テーブル１５ｃ−３に記憶された投影先選択情報を参照することにより、表示データのファイル種や機能毎に投影先を選択した上で、上述の表示制御処理をおこなってもよい。
【００４６】
本発明において、制御部１４は、描画更新部１４ｂ−１による描画更新機能および表示制御部１４ｂ−２による表示制御機能を連動して用いている。
【００４７】
すなわち、制御部１４は、プロジェクタ部３に表示データを投影させる際、傾き検出部１２にて検出された傾斜角に応じて、プロジェクタ部３にて投影される表示データの描画方向を変更する。ここで、制御部１４は、傾き検出部１２にて検出された傾斜角に基づいて、メイン表示部が上側になっていると判定される場合には、当該メイン表示部に表示される表示データの描画方向とプロジェクタ部３にて投影される表示データの描画方向とを一致させる第１の描画を行い、メイン表示部が下側になっていると判定される場合には、プロジェクタ部３にて投影される表示データの描画方向を第１の描画とは異なる描画方向とする第２の描画を行ってもよい。また、制御部１４は、開閉検出スイッチ１１にて検出された相対角度に基づいて、第１筐体１ＣＡが第２筐体１ＣＢに対して所定以上の開度を有さないと判定される場合には、プロジェクタ部３に対する操作を示す操作情報、及び／又は、当該プロジェクタ部３に対する処理状態を示す処理状態情報をサブ表示部に表示してもよい。また、制御部１４は、携帯電子機器１の閉状態において、記憶部１５に記憶されたメイン表示部に表示されるべき表示データの少なくとも一部をプロジェクタ部３に投影させてもよい。また、制御部１４は、投影向き選択テーブル１５ｃ−１に記憶された投影向き選択情報に設定された当該描画方向に描画された表示データをプロジェクタ部３にて投影させてもよい。また、制御部１４は、表示先選択テーブル１５ｃ−２に記憶された表示先選択情報に設定された表示先となるメイン表示部（メインディスプレイ２Ｍ）及び／又はサブ表示部（サブディスプレイ２Ｓ）へ表示データを表示してもよい。また、制御部１４は、投影先選択テーブル１５ｃ−３に記憶された投影先選択情報に設定された投影先となるメイン表示部（メインディスプレイ２Ｍ）、サブ表示部（サブディスプレイ２Ｓ）、および、プロジェクタ部３のうち少なくとも１つへ表示データを表示及び／又は投影してもよい。
【００４８】
ここで、図６を参照し、投影角度の検出の一例について説明する。本実施形態において、携帯電子機器１は、以下に示すように傾き検出機能を実現する。具体的には、図６に示すように、携帯電子機器１は、操作部５を備える第２筐体１ＣＢに、当該第２筐体１ＣＢに対する鉛直方向の傾斜角（図６において、「Θ１」）を検出する加速度センサ等の傾き検出部１２を設ける。そして、携帯電子機器１は、第１筐体１ＣＡと第２筐体１ＣＢとの連結部（ヒンジ９）に、第１筐体１ＣＡと第２筐体１ＣＢとの相対角度（図６において、「Θ２」）を検出するための開閉検出スイッチ１１を設ける。そして、携帯電子機器１の制御部１４は、傾き検出部１２にて検出された傾斜角「Θ１」と開閉検出スイッチ１１にて検出された相対角度「Θ２」を用いて、プロジェクタ部３の投影角度（図６において、「Θ」）を計算する。ここで、図６（ａ）に示すように携帯電子機器１が上向きの場合、制御部１４は、「Θ＝Θ１＋（１８０−Θ２）」と計算することにより、プロジェクタ部３の投影角度「Θ」を求める。また、図６（ｂ）に示すように携帯電子機器１が下向きの場合、制御部１４は、「Θ＝Θ１−（１８０−Θ２）」と計算することにより、プロジェクタ部３の投影角度「Θ」を求める。ここで、「α」は、プロジェクタ部３の投影範囲をあらわす。なお、上記検出方法以外にも、加速度センサ等の傾き検出部１２をプロジェクタ部３に直接配置することにより、そのまま投影角度「Θ」を検出してもよい。
【００４９】
図５に戻り、制御部１４は、投影先選択テーブル１５ｃ−３に記憶された投影先選択情報に設定された投影先へ表示データを表示してもよい。ここで、表示部２の解像度とプロジェクタ部３の解像度とが異なり、表示部２は、プロジェクタ部３よりも少なくとも一方向に長い画素数を有するワイド領域を備え（例えば、表示部２がワイドＶＧＡであり、プロジェクタ部３が通常のＶＧＡである場合等）、制御部１４は、表示部２のワイド領域の少なくとも一部に、バッテリ残量表示情報、通信状態表示情報、および、ソフトキー表示情報のうち少なくとも１つを表示してもよい。なお、ＶＧＡ（Ｖｉｄｅｏ  Ｇｒａｐｈｉｃｓ  Ａｒｒａｙ）は、６４０×４８０ドットの解像度であり、ワイドＶＧＡ（Ｗｉｄｅ  Ｖｉｄｅｏ  Ｇｒａｐｈｉｃｓ  Ａｒｒａｙ）は、８００×４８０ドットの解像度である。
【００５０】
一例として、表示部２にワイドＶＧＡを用い、プロジェクタ部３に通常のＶＧＡを用いる場合、ワイドＶＧＡは８００×４８０ドットであり、ＶＧＡは６４０×４８０ドットであるため、表示部２のワイドＶＧＡとプロジェクタ部３のＶＧＡ間で画素数の差が生じる差分領域がある。そのため、制御部１４は、表示部２のワイド領域の少なくとも一部の差分領域に、バッテリ残量表示情報、通信状態表示情報、および、ソフトキー表示情報のうち少なくとも１つを表示してもよい。また、制御部１４は、１０２４×７６８ドットのＸＧＡ（ｅＸｔｅｎｄｅｄ  Ｇｒａｐｈｉｃｓ  Ａｒｒａｙ）と、１６００×１２００ドットのＵＸＧＡ（Ｕｌｔｒａ  ｅＸｔｅｎｄｅｄ  Ｇｒａｐｈｉｃｓ  Ａｒｒａｙ）との間で画素数の差が生じる差分領域に、バッテリ残量表示情報、通信状態表示情報、および、ソフトキー表示情報のうち少なくとも１つを表示してもよい。また、制御部１４は、３２０×２４０ドットのＱＶＧＡ（Ｑｕａｒｔｅｒ  Ｖｉｄｅｏ  Ｇｒａｐｈｉｃｓ  Ａｒｒａｙ）と、４００×２５０ドットのワイドＸＧＡ（Ｗｉｄｅ  Ｑｕａｒｔｅｒ  Ｖｉｄｅｏ  Ｇｒａｐｈｉｃｓ  Ａｒｒａｙ）との間で画素数の差が生じる差分領域に、バッテリ残量表示情報、通信状態表示情報、および、ソフトキー表示情報のうち少なくとも１つを表示してもよい。
【００５１】
また、記憶部１５は、例えば、不揮発性の記憶デバイス（ＲＯＭ：Ｒｅａｄ  Ｏｎｌｙ  Ｍｅｍｏｒｙ等の不揮発性半導体メモリ、ハードディスク装置等）や、読み書き可能な記憶デバイス（例えば、ＳＲＡＭ：Ｓｔａｔｉｃ  Ｒａｎｄｏｍ  Ａｃｃｅｓｓ  Ｍｅｍｏｒｙ、ＤＲＡＭ：Ｄｙｎａｍｉｃ  Ｒａｎｄｏｍ  Ａｃｃｅｓｓ  Ｍｅｍｏｒｙ、ＶＲＡＭ：Ｖｉｄｅｏ  Ｒａｎｄｏｍ  Ａｃｃｅｓｓ  Ｍｅｍｏｒｙ等）で構成される。記憶部１５は、各種のファイルやテーブルやプログラム、データベース等（例えば、表示用メモリ部１５ａ、重ね合わせ用メモリ部１５ｂ、投影向き選択テーブル１５ｃ−１、表示先選択テーブル１５ｃ−２、および、投影先選択テーブル１５ｃ−３）を格納する。ここで、表示用メモリ部１５ａは、プロジェクタ用バッファ１５ａ−１、ピクト行表示用バッファ１５ａ−２、ソフトキー表示用バッファ１５ａ−３、および、メイン画面用バッファ１５ａ−４を更に備える。
【００５２】
本発明において、記憶部１５は、少なくとも所定の表示データを記憶する記憶手段である。ここで、表示データは、電源部１０の電力の残量状態を示すバッテリ残量表示情報を更に含んでもよい。また、表示データは、無線通信部８の通信状態を示す通信状態表示情報を更に含んでもよい。また、表示データは、操作部５にて可能な操作を示すソフトキー表示情報を更に含んでもよい。
【００５３】
これら記憶部１５の各構成要素のうち、表示用メモリ部１５ａは、表示部２及び／又はプロジェクタ部３に表示及び／又は投影させる表示データを形成するための表示用メモリである。具体的には、表示用メモリ部１５ａは、プロジェクタ部３にて投影される表示データを記憶するプロジェクタ用バッファ１５ａ−１、ソフトキー表示情報を記憶するソフトキー表示用バッファ１５ａ−３、バッテリ残量表示情報および通信状態表示情報を記憶するピクト行表示用バッファ１５ａ−２、ならびに、表示部２に表示される表示データを記憶するメイン画面用バッファ１５ａ−４、を少なくとも含む。
【００５４】
また、重ね合わせ用メモリ部１５ｂは、表示用メモリ部１５ａに記憶された表示データのうち少なくとも一部を重ね合わせることにより、表示部２及び／又はプロジェクタ部３に表示させる合成された表示データを形成するための重ね合わせ用メモリである。具体的には、重ね合わせ用メモリ部１５ｂは、プロジェクタ用バッファ１５ａ−１に記憶された表示データと、ソフトキー表示用バッファ１５ａ−３に記憶されたソフトキー表示情報と、ピクト行表示用バッファ１５ａ−２に記憶されたバッテリ残量表示情報および通信状態表示情報と、メイン画面用バッファ１５ａ−４に記憶された表示データとのうち少なくとも一部を重ね合わせた表示データを記憶してもよい。
【００５５】
また、投影向き選択テーブル１５ｃ−１は、プロジェクタ部３にて投影される表示データの描画方向を傾斜角に応じて設定した投影向き選択情報を記憶する投影向き選択情報記憶手段である。
【００５６】
ここで、図７を参照し、投影向き選択テーブル１５ｃ−１の一例について説明する。本実施形態において、携帯電子機器１は、以下に示すように傾きによる投影向き制御機能を実現する。具体的には、図７に示すように、投影向き選択テーブル１５ｃ−１は、投影角度「Θ」を９０度毎に区切られた範囲（図７において、０度〜９０度、９０度〜１８０度、−０度〜−９０度、−９０度〜−１８０度）に分け、各範囲に投影向き（描画方向）を「通常」または「反転」に設定した投影向き選択情報を記憶している。一例として、図７において、投影角度「Θ」が０度〜９０度（右上の範囲）にある場合、プロジェクタ部３にて投影される表示データの描画方向は「通常」となる。これにより、利用者は図７の左側からメイン表示部（メインディスプレイ２Ｍ）に表示された表示データを同じ描画方向の投影画像をみることができる。一方、投影角度「Θ」が０度〜９０度（左上の範囲）にある場合、プロジェクタ部３にて投影される表示データの描画方向は「反転」となる。これにより、プロジェクタ部３にて投影される表示データが反転した状態で投影されているので、利用者は図７の右側からでも、上下方向が補正された表示データを見ることできる。
【００５７】
ここで、携帯電子機器１の第１筐体１ＣＡが９０度毎に区切られた範囲の境界部分に位置する場合（すなわち、傾きによる投影向き制御の自動判定が困難な場合）には、制御部１４は、一定周期で９０度ずつ投影画面を切り替え、ユーザの好みの投影向きになった時点で操作部５の特定ボタンを押下、または、光センサが備えられたプロジェクタ部３に手をかざす（すなわち、赤外線センサ等の光センサで判断する）等の操作により、投影向きを固定してもよい。また、制御部１４は、再度、投影向きを変更したい場合には、同様に操作部５の特定ボタンの押下、または、プロジェクタ部３に手をかざす等の操作で切り替え制御を開始してもよい。また、制御部１４は、加速度センサ等の傾き検出部１２にて検出された傾斜角に基づいて、利用者が携帯電子機器１を横向きにした場合には、プロジェクタ部３において、描画方向の切り替え制御や動画等の投影を一時停止してもよい。
【００５８】
図５に戻り、表示先選択テーブル１５ｃ−２は、表示データの表示先をメイン表示部（メインディスプレイ２Ｍ）もしくはサブ表示部（サブディスプレイ２Ｓ）のいずれかとするか、または、メイン表示部（メインディスプレイ２Ｍ）およびサブ表示部（サブディスプレイ２Ｓ）の両方とするかを設定した表示先選択情報を記憶する表示先選択情報記憶手段である。
【００５９】
ここで、図８を参照し、表示先選択テーブル１５ｃ−２の一例について説明する。実施形態において、携帯電子機器１は、以下に示すように傾きによる液晶表示制御機能を実現する。図８に示すように、表示先選択テーブル１５ｃ−２において、上記図６に示した方法にて検出した投影角度「Θ」を９０度毎に区切られた範囲（図８において、０度〜９０度、９０度〜１８０度、−０度〜−９０度、−９０度〜−１８０度）に分けている。さらに、表示先選択テーブル１５ｃ−２において、投影角度「Θ」が０度〜９０度に範囲にある場合は、開閉検出スイッチ１１にて検出された相対角度「Θ２」と投影角度「Θ」とを足し合わせた角度「Θ＋Θ２」が０度〜９０度に範囲にあるか否かにより分けている。そして、表示先選択テーブル１５ｃ−２は、これらの各範囲（「Θ」および「Θ＋Θ２」に範囲）に対応付けて、メイン液晶であるメイン表示部（メインディスプレイ２Ｍ）の表示をオンかオフにするか、サブ液晶であるサブ表示部（サブディスプレイ２Ｓ）の表示をオンかオフにするかを設定した表示先選択情報を記憶している。一例として、図８において、投影角度「Θ」が０度〜９０度であり、かつ、「Θ＋Θ２」が０度〜９０度以外（右上の範囲）である場合、利用者が図８の左側から見ることができるメイン表示部（メインディスプレイ２Ｍ）の表示はオンにし、利用者が図８の左側から見ることができるサブ表示部（サブディスプレイ２Ｓ）の表示はオフにする。
【００６０】
このように、携帯電子機器１の制御部１４は、投影角度「Θ」、および、第１筐体１ＣＡと第２筐体１ＣＢとの相対角度「Θ２」に基づいて操作部５や表示部２の傾きを求めることができる。これにより、例えば、携帯電子機器１は、利用者がメイン表示部（メインディスプレイ２Ｍ）を見える範囲に角度によって制限がある場合でも、利用者が見える場合だけサブ表示部（サブディスプレイ２Ｓ）に携帯端末１の操作方法の表示やコンテンツ情報（再生時間やチャプタ情報等）やパワーポイント（登録商標）のノート部分等を表示することができる。
【００６１】
図５に戻り、投影先選択テーブル１５ｃ−３は、表示データの投影先をメイン表示部（メインディスプレイ２Ｍ）、サブ表示部（サブディスプレイ２Ｓ）、および、プロジェクタ部３のうち少なくとも１つとするかを設定した投影先選択情報を記憶する投影先選択情報記憶手段である。
【００６２】
ここで、図９を参照し、投影先選択テーブル１５ｃ−３の一例について説明する。実施形態において、携帯電子機器１は、以下に示すように表示内容制御機能を実現する。図９に示すように、投影先選択テーブル１５ｃ−３は、表示するファイルや機能毎に投影先を選択する場合に用いる情報を記憶している。例えば、投影先選択テーブル１５ｃ−３の第２行目では、ファイルがパワーポイント（登録商標）ファイルである場合、ピクトエリアに表示されるピクト行表示情報をＬＣＤの表示部２に表示するよう設定されている。同様に、ソフトキーエリアに表示されるソフトキー表示情報をＬＣＤの表示部２に表示するよう設定されている。同様に、サブメニューについては、表示部２とプロジェクタ部３の両方に、メイン１のスライド部分に関してはプロジェクタ部３に、メイン２のノート部分に関して液晶の表示部２へ表示及び／又は投影させるよう設定している。また、投影先選択テーブル１５ｃ−３の第３行目では、ファイルがＰＤＦ(登録商標）ファイルである場合、ピクトエリア、ソフトキーエリア、サブメニューに関しては、第１行のパワーポイント（登録商標）ファイルと同様に設定している。そして、メイン１の本文に関してはプロジェクタ部３にて投影させ、メイン２のページ一覧に関しては液晶の表示部２へ表示するよう設定している。
【００６３】
続いて、図９において、投影先選択テーブル１５ｃ−３の第４行目では、待ち受け機能を使用する場合、ピクトエリアはプロジェクタ部３にて投影させ、ソフトキーエリアおよびサブメニューはＬＣＤの表示部２へ表示するよう設定している。そして、メイン１の背景に関してはＬＣＤの表示部２に表示し、メイン２のお知らせ表示に関してはプロジェクタ部３にて投影させるよう設定している。また、投影先選択テーブル１５ｃ−３の第５行目では、Ｅメール機能を使用する場合、ピクトエリアおよびソフトキーエリアはＬＣＤの表示部２に表示するよう設定している。そして、サブメニューに関しては表示部２とプロジェクタ部３の両方の表示及び／投影させるよう設定している。そして、メイン１の件名に関してはＬＣＤの表示部２に表示し、メイン２の本文に関してはプロジェクタ部３にて投影させるよう設定している。また、投影先選択テーブル１５ｃ−３の第６行目では、ブラウザ機能を使用する場合、ピクトエリア、ソフトキーエリア、および、サブメニューに関しては第５行目のＥメール機能と同様に設定している。そして、メイン１に関しては、プロジェクタ部３にて投影させるよう設定している。また、投影先選択テーブル１５ｃ−３の第７行目では、時刻を表示するピクトエリアはプロジェクタ部３にて投影させ、ソフトキーエリアおよびサブメニューについては、ＬＣＤの表示部２に表示するよう設定している。そして、メイン１に関しては、テレビ画面をプロジェクタ部３にて投影させるよう設定している。
【００６４】
さらに、投影先選択テーブル１５ｃ−３において、ＬＣＤオフ表示フラグを投影先選択情報に含む。このＬＣＤオフ表示フラグは、ＬＣＤオフ時（すなわち、表示部２（メインディスプレイ２Ｍおよびサブディスプレイ２Ｓの両方）のオフ時）に、表示データの全体をプロジェクタ部３に投影する場合をオンと設定している。
【００６５】
このように、本実施の形態に係る携帯電子機器１では、上記図８において示した液晶表示制御機能におけるオン／オフ制御以外にも、プロジェクタ部３にて投影される表示データにより、表示する内容を変更する機能を追加してもよい。例えば、携帯電子機器１の制御部１４は、投影先選択テーブル１５ｃ−３を参照することにより、パワーポイント（登録商標）等のプレゼン資料のノート部分がオンされている場合は、このノート部分をＬＣＤの表示部２のみに表示する。また、本実施形態において、携帯電子機器１は、上記図８において示した投影角度「Θ」や相対角度「Θ２」等に応じてメインディスプレイ２Ｍやサブディスプレイ２Ｓをオフにする等の液晶表示制御処理を、図９において示した表示内容制御と同時に行ってもよい。
【００６６】
次に、本実施の形態に係る携帯電子機器１の処理の一例について、以下に図１０〜図１３を参照して詳細に説明する。
【００６７】
ここで、図１０は、本実施の形態に係る基本処理の一例を示すフローチャートである。また、図１１は、本実施の形態に係る投影先選択制御の一例を示すフローチャートである。また、図１２は、本実施の形態に係る投影制御処理の一例を示すフローチャートである。また、図１３は、本発明の投影制御の一例を示す図である。
【００６８】
図１０に示すように、本実施の形態に係る基本処理において、携帯電子機器１の制御部１４は、投影先選択処理を行い（Ｓ１００）、投影制御処理を行う（Ｓ２００）。
【００６９】
まず、図１１を参照し、図１０の投影先選択処理の詳細（Ｓ１０１〜Ｓ１０５）について説明する。
【００７０】
図１１に示すように、表示制御部１４ｂ−２は、プロジェクタ部３が使用可能であるかを判定する（Ｓ１０１）。
【００７１】
そして、表示制御部１４ｂ−２は、プロジェクタ部３が使用可能であると判定された場合（Ｓ１０１：Ｙｅｓ）、表示用メモリ部１５ａに記憶されたデータを参照し、投影内容（例えば、ファイル種別や機能等）に変化があったかを判定する（Ｓ１０２）。
【００７２】
そして、表示制御部１４ｂ−２は、投影内容に変化があったと判定された場合（Ｓ１０２：Ｙｅｓ）、投影内容（例えば、テレビ機能）に応じて、投影先選択テーブル１５ｃ−３の投影先選択情報（例えば、テレビ画面を表示するメイン１はプロジェクタ部３にて投影する等）を取得する（Ｓ１０３）。
【００７３】
そして、表示制御部１４ｂ−２は、投影先選択テーブル１５ｃ−３の投影先選択情報に従って決定された投影先（例えば、プロジェクタ部３）の各バッファ（例えば、プロジェクタ用バッファ１５ａ−１）のデータを更新する（Ｓ１０４）。その後、投影先選択処理を終了する。
【００７４】
ここで、Ｓ１０２に戻り、表示制御部１４ｂ−２は、投影内容に変化がなかったと判定された場合も（Ｓ１０２：Ｎｏ）、その後、投影先選択処理を終了する。
【００７５】
さらに、Ｓ１０１に戻り、表示制御部１４ｂ−２は、プロジェクタ部３が使用可能でないと判定された場合（Ｓ１０１：Ｎｏ）、投影先をＬＣＤの表示部２とし、表示用メモリ部１５ａや重ね合わせ用メモリ部１５ｂに記憶されたデータを更新する（Ｓ１０５）。その後、投影先選択処理を終了する。
【００７６】
続いて、図１２を参照し、図１０の投影制御処理の詳細（Ｓ２０１〜Ｓ２０９）について説明する。
【００７７】
図１２に示すように、表示制御部１４ｂ−２は、上記図６において示したように、プロジェクタ部３の投影角度「Θ」を取得する（Ｓ２０１）。
【００７８】
そして、表示制御部１４ｂ−２は、上記図７において示したように、投影角度「Θ」に基づいて、投影向き選択テーブル１５ｃ−１に記憶された投影向き選択情報を参照することにより、プロジェクタ部３にて投影された表示データの描画方向（投影向き）の反転が必要か否かを判定する（Ｓ２０２）。
【００７９】
そして、表示制御部１４ｂ−２は、Ｓ２０２において反転が必要であると判定された場合（Ｓ２０２：Ｙｅｓ）、プロジェクタ部３にて投影される表示データの描画方向（投影向き）を反転させるよう設定する（Ｓ２０３）。その後、Ｓ２０５の処理へ進む。
【００８０】
一方、表示制御部１４ｂ−２は、Ｓ２０２において反転が必要でないと判定された場合（Ｓ２０２：Ｎｏ）、プロジェクタ部３にて投影される表示データの描画方向（投影向き）を通常のまま変更しないよう設定する（Ｓ２０３）。その後、Ｓ２０５の処理へ進む。
【００８１】
そして、表示制御部１４ｂ−２は、上記図８において示したように、投影角度「Θ」や相対角度「Θ２」等に基づいて、表示先選択テーブル１５ｃ−２に記憶された表示先選択情報を参照することにより、ＬＣＤの表示部２（メインディスプレイ２Ｍやサブディスプレイ２Ｓ）の電源制御（Ｓ２０６〜Ｓ２０９）を開始する（Ｓ２０５）。
【００８２】
そして、表示制御部１４ｂ−２は、Ｓ２０５において参照した表示先選択情報に基づいて、投影角度「Θ」からＬＣＤの表示部２（メインディスプレイ２Ｍやサブディスプレイ２Ｓ）に表示データ等を表示するか否かを判定する（Ｓ２０６）。
【００８３】
そして、表示制御部１４ｂ−２は、Ｓ２０６において表示部２に表示すると判定された場合（Ｓ２０６：Ｙｅｓ）、上記図９において示したように、投影先選択テーブル１５ｃ−３に記憶された投影先選択情報を参照することにより、各表示部（メインディスプレイ２Ｍやサブディスプレイ２Ｓ）へ表示データ等を表示する（Ｓ２０７）。その後、投影制御処理を終了する。
【００８４】
ここで、Ｓ２０６に戻り、表示制御部１４ｂ−２は、表示部２に表示すると判定された場合（Ｓ２０６：Ｎｏ）、上記図９において示したように、投影先選択テーブル１５ｃ−３に記憶された投影先選択情報を参照することにより、ＬＣＤオフ表示フラグがＯＮか否かを判定する（Ｓ２０８）。
【００８５】
そして、表示制御部１４ｂ−２は、ＬＣＤオフ表示フラグがＯＮであると判定された場合（Ｓ２０８：Ｙｅｓ）、ＬＣＤの表示部２に表示されなかった表示用メモリ部１５ａや重ね合わせ用メモリ部１５ｂに記憶された表示データ等を、プロジェクタ部３にて投影させる（Ｓ２０９）。その後、投影制御処理を終了する。
【００８６】
一方、表示制御部１４ｂ−２は、Ｓ２０８においてＬＣＤオフ表示フラグがＯＦＦであると判定された場合（Ｓ２０８：Ｎｏ）、Ｓ２０７の処理に進み、その後、投影制御処理を終了する。
【００８７】
ここで、図１３を参照し、本発明の投影制御の一例を説明する。
【００８８】
図１３に示すように、本発明の携帯電子機器１では、記憶部１５の表示用メモリ部１５ａは、プロジェクタ用バッファ１５ａ−１、ピクト行表示用バッファ１５ａ−２、ソフトキー表示用バッファ１５ａ−３、および、メイン画面用バッファ１５ａ−４を含む４層構造になっている。図１３において、プロジェクタ用バッファ１５ａ−１には、プロジェクタ用メイン画面の一例としてサッカー場の画像の表示データが記憶されている（ＧＡ−１）。本発明の携帯電子機器１は、このプロジェクタ用バッファ１５ａ−１に記憶された表示データを直接プロジェクタ部３へ転送することにより、プロジェクタ部３にプロジェクタ用メイン画面としてサッカー場の画像の表示データを投影させている（ＧＡ−２）。
【００８９】
また、ピクト行表示表バッファ１５ａ−２には、バッテリ残量表示情報の一例として電池マークや通信状態表示情報の一例としてアンテナマーク等が記憶されている。また、ソフトキー表示用バッファ１５ａ−３には、ソフトキー表示情報の一例として戻るボタンやズームボタンや次へボタン等の表示データが記憶されている。また、メイン画面用バッファ１５ａ−４には、表示部用メイン画面の一例として、プロジェクタ用メイン画面を説明する「これはサッカーボールの中にサッカー場を記載した図です。」等のテキストの表示データが記憶されている（ＧＡ−３）。
【００９０】
そして、携帯電子機器１の制御部１４は、表示用メモリ部１５ａに記憶された各種データの少なくとも一部を重ね合わせる重ね合わせ処理を行い、ピクト行とプロジェクタ用メイン画面と表示部用メイン画面とソフトキーとを合成して、重ね合わせ用メモリ部１５ｂに記憶する。そして、本発明の携帯電子機器１は、重ね合わせ用メモリ部１５ｂに記憶された合成された表示データを、投影先選択テーブル１５ｃ−３の投影先選択情報に従って、メイン表示部（メインディスプレイ２Ｍ）及び／又はプロジェクタ部３に転送することにより、メイン表示部（メインディスプレイ２Ｍ）に表示（ＧＡ−４）及び／又はプロジェクタ部３に投影させる（ＧＡ−５）。
【００９１】
ここで、メインＬＣＤ（メインディスプレイ２Ｍ）に表示する場合、表示制御部１４ｂ−２は、投影角度「Θ」に基づいて、表示先選択テーブル１５ｃ−２に記憶された表示先選択情報を参照することにより、メインＬＣＤがＯＮに設定されていれば、メインＬＣＤデバイス（メインディスプレイ２Ｍ）に表示データ等を転送する。なお、表示先選択情報の設定に応じて、プロジェクタ用バッファ１５ａ−１の記憶された表示データは、非表示であってもよい。
【００９２】
また、サブＬＣＤ（サブディスプレイ２Ｓ）に表示する場合、表示制御部１４ｂ−２は、投影角度「Θ」に基づいて、表示先選択テーブル１５ｃ−２に記憶された表示先選択情報を参照することにより、サブＬＣＤがＯＮに設定されていれば、サブＬＣＤデバイス（サブディスプレイ２Ｓ）に表示データの一部を転送する（ＧＡ−６）。
【００９３】
このように、従来の携帯端末では、例えば、折り畳みの携帯端末においてプロジェクタ部を液晶画面の先端に取り付けた場合、開く角度や上下により投影映像が逆さまになる（すなわち、反転してしまう）という問題点を有していたが、本発明の携帯電子機器１では、折り畳みの携帯端末においてプロジェクタ部３を液晶画面の先端に取り付けた場合であっても、開く角度や上下により投影映像が逆さまにならないという、よりユーザニーズを考慮した表示制御を行うことができる。
【００９４】
具体的には、従来技術の問題を解決するため、本発明の携帯電子機器１は、例えば、開く角度９０度を境にして投影映像の反転処理を行う。この角度は、傾きセンサや加速度センサ等の傾き検出部１２を利用して検出する。また、傾き検出部１２を表示部２側の第１筐体１ＣＡと操作部５側の第２筐体１ＣＢの２箇所にとりつけて上下のどちらに投影しているか判断して、向きを調整するか、もしくは、９０度の境を確認できる開閉検出スイッチ１１と傾き検出部１２で上下判断して投影向きを調整してもよい。
【００９５】
これにより、本発明の携帯電子機器１は、プロジェクタ部３の投影向きを判別することができ、使用できる補助画面としてメイン表示部かサブ表示部を自動選択することができる。また、本発明の携帯電子機器１は、自動判定が困難もしくは特定ボタンの押下、もしくはプロジェクタ部３に手をかざす等の操作で、投影しながら一定周期で９０度ずつ投影画面を切り替え、ユーザの好みの投影向きになった時点で特定ボタンを押下、もしくは投影部に手をかざす等の操作で、投影向きを固定することができる。この際、傾き検出部１２により、横向きにすると一時停止することもできる。
【００９６】
さらに、本発明の携帯電子機器１は、携帯電話端末のように簡単に手に持つことができ、さまざまな持ち方に対応してプロジェクタ部３の投影向きを自動調整が可能なため、ユーザ操作性が向上させることができる。また、本発明の携帯電子機器１は、投影向きを自動調整が困難な場合やユーザの操作において一定周期で投影向きを切り替えるような機能を設けることで、ユーザが体勢に適した投影向きで使用することができる。また、本発明の携帯電子機器１は、例えば、ＴＶ・映画視聴中に、利用者が席を立つ場合に、横向き等にすることで、携帯電話を操作することなく、一時停止や自動録画する機能をもつことで、ユーザ操作性が向上させることができる。
【００９７】
すなわち、本発明の携帯電子機器１では、載置状況を問わず、正しい向きで投影できるようになる。具体的には、載置する状態が傾いていても、開閉状態が中途半場な状態であっても、手に持った状態でも正しい向きで投影できるようになる。
【００９８】
さて、これまで本発明の実施の形態について説明したが、本発明は、上述した実施の形態以外にも、特許請求の範囲に記載した技術的思想の範囲内において種々の異なる実施の形態にて実施されてよいものである。
【００９９】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１００】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１０１】
また、携帯電子機器１に関して、図示の各構成要素は機能概念的なものであり、必ずしも物理的に図示の如く構成されていることを要しない。例えば、携帯電子機器１の各装置が備える処理機能、特に制御部１４にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、記録媒体に記録されており、必要に応じて携帯電子機器１に機械的に読み取られる。すなわち、ＲＯＭまたはＨＤなどの記憶部１５などは、ＯＳとして協働してＣＰＵに命令を与え、各種処理を行うためのコンピュータプログラムが記録されている。このコンピュータプログラムは、ＲＡＭにロードされることによって実行され、ＣＰＵと協働して制御部１４を構成する。
【０１０２】
また、このコンピュータプログラムは、携帯電子機器１に対して任意のネットワーク（例えば、携帯電話回線網）を介して接続されたアプリケーションプログラムサーバに記憶されていてもよく、必要に応じてその全部または一部をダウンロードすることも可能である。また、このプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の可搬用の物理媒体を含むものとする。
【０１０３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。特に、上述したＯＳプログラムとベースソフトウェアの論理構成は、任意に変更することができ、例えば、ＯＳプログラムとベースソフトウェアを一体として広義のＯＳプログラムとして構成してもよい。なお、実施の形態に示した各装置において記録媒体を読み取るための具体的な構成、読み取り手順、あるいは、読み取り後のインストール手順等については、周知の構成や手順を用いることができる。
【０１０４】
また、携帯電子機器１は、既知のパーソナルコンピュータ、ワークステーション等の情報処理装置を接続し、該情報処理装置に本発明の方法を実現させるソフトウェア（プログラム、データ等を含む）を実装することにより実現してもよい。
【０１０５】
更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【０１０６】
以上のように、本発明に係る携帯電子機器は、プロジェクタ部と表示部とで、よりユーザニーズを考慮した表示制御を行うことができ有用である。
【符号の説明】
【０１０７】
１  携帯電子機器
１Ｃ  筐体
１ＣＡ  第１筐体
１ＣＢ  第２筐体
２  表示部
２Ｍ  メインディスプレイ（メイン表示部）
２Ｓ  サブディスプレイ（サブ表示部）
３  プロジェクタ部
４  カメラ
５  操作部
５ａ  操作キー
５ｂ  方向及び決定キー
６  スピーカ
７  マイク
８  無線通信部
８ａ  アンテナ
８ｂ  アンテナ
８ｃ  アンテナスイッチ
８ｄ  ＣＤＭＡ用ＲＦモジュール
９  ヒンジ
１０  電源部
１１  開閉検出スイッチ
１２  傾き検出部
１３  通信用端子
１４  制御部
１４ａ  メインＣＰＵ
１４ｂ  ディスプレイコントローラ
１４ｂ−１  描画更新部
１４ｂ−２  表示制御部
１４ｃ  音声処理部
１５  記憶部
１５ａ  表示用メモリ部（Ｖ−ＲＡＭ）
１５ａ−１  プロジェクタ用バッファ
１５ａ−２  ピクト行表示用バッファ
１５ａ−３  ソフトキー表示用バッファ
１５ａ−４  メイン画面用バッファ
１５ｂ  重ね合わせ用メモリ部（Ｖ−ＲＡＭ）
１５ｃ  メモリ
１５ｃ−１  投影向き選択テーブル
１５ｃ−２  表示先選択テーブル
１５ｃ−３  投影先選択テーブル
１６ａ  高速シリアルインターフェース
１６ｂ  高速シリアルインターフェース
１７  ダイヤル検出部
【図１】
2010197755.tif 000003
【図２】
2010197755.tif 000004
【図３】
2010197755.tif 000005
【図４】
2010197755.tif 000006
【図５】
2010197755.tif 000007
【図６】
2010197755.tif 000008
【図７】
2010197755.tif 000009
【図８】
2010197755.tif 000010
【図９】
2010197755.tif 000011
【図１０】
2010197755.tif 000012
【図１１】
2010197755.tif 000013
【図１２】
2010197755.tif 000014
【図１３】
2010197755.tif 000015